(57)【要約】【課題】防災情報システムの通信回線（ＮＷ）の状況に応じて交換する情報をユーザーが特別の操作をすることなく通信速度に適した形式に変更することで、有線の高速ＮＷが途絶したときにも防災情報の交換を継続すること。【解決手段】高速ＮＷが使用可能時は、情報サーバと情報端末間を中継させて詳細な情報を高速に伝送させる。高速ＮＷ不能時は、簡易な代替画面に差し替えて情報端末で閲覧や記入をさせ、情報サーバとの通信では低速ＮＷに代替画面中の情報データのみを伝送させる。【選択図】      図１
2010124296.tif 000002
【特許請求の範囲】
【請求項１】
情報サーバと、情報端末と、高速ＮＷ及び低速ＮＷを介して前記情報サーバと接続し且つ前記情報端末と接続して、前記情報サーバと前記情報端末との間で防災情報を交換するための防災情報装置とを有し、
前記防災情報装置は、
前記高速ＮＷを介して前記情報サーバへ問い合わせ信号を送信し、該送信への応答の有無によって前記高速ＮＷが使用可能か不可かを判定するとともに、前記高速ＮＷが使用可能な時は前記情報サーバと前記情報端末との間での災害情報の交換を前記高速ＮＷを介して中継する、高速ＮＷ死活判定部と、
簡易災害様式及び簡易報告様式を記憶する、代替画面作成用記憶部と、
前記高速ＮＷ使用不可の時に、前記簡易災害様式と前記サーバから前記低速ＮＷを介して送信された簡易災害情報用データとに基づいて簡易災害情報を作成して前記情報端末へ送信するとともに、前記簡易報告様式を前記情報端末へ送信し、前記情報端末から送られた報告データが記入された記入済簡易報告様式から前記報告データを抽出して、該報告データのみを前記低速ＮＷを介して前記情報サーバへ送信する、代替画面作成処理部と、を有することを特徴とする、防災情報システム。
【請求項２】
高速ＮＷ及び低速ＮＷを介して情報サーバと接続し且つ情報端末と接続して、前記情報サーバと前記情報端末との間で防災情報を交換するための防災情報装置であって、
前記高速ＮＷを介して前記情報サーバへ問い合わせ信号を送信し、該送信への応答の有無によって前記高速ＮＷが使用可能か不可かを判定するとともに、前記高速ＮＷが使用可能な時は前記情報サーバと前記情報端末との間での災害情報の交換を前記高速ＮＷを介して中継する、高速ＮＷ死活判定部と、
簡易災害様式及び簡易報告様式を記憶する、代替画面作成用記憶部と、
前記高速ＮＷ使用不可の時に、前記簡易災害様式と前記サーバから前記低速ＮＷを介して送信された簡易災害情報用データとに基づいて簡易災害情報を作成して前記情報端末へ送信するとともに、前記簡易報告様式を前記情報端末へ送信し、前記情報端末から送られた報告データが記入された記入済簡易報告様式から前記報告データを抽出して、該報告データのみを前記低速ＮＷを介して前記情報サーバへ送信する、代替画面作成処理部と、を有することを特徴とする、防災情報装置。
【発明の詳細な説明】
【技術分野】
【０００１】
本発明は、情報サーバと情報端末との間をネットワーク（以下、ＮＷ）を介して防災情報を交換する防災情報システム、及びその防災情報システムに用いる防災情報装置に関する。
【背景技術】
【０００２】
従来から、自治体等において、県庁などに配置された情報サーバと市役所や町役場などに配置された情報端末との間をＮＷなどを使用して接続し、それらの間で防災情報の交換を行うようになってきている。
【０００３】
このＮＷに障害が発生した場合にも情報サーバと情報端末との間の通信を確保するために、バックアップ回線（ＮＷの１形態）に切り替えて通信を継続することが行われている（特許文献１）。
【特許文献１】特開平７−２７３７６５号公報
【発明の開示】
【発明が解決しようとする課題】
【０００４】
近年、通信回線として光ＮＷのように有線の高速（大容量）ＮＷが普及してきており、この高速ＮＷを使用して静止画や動画を容易に扱えるようになった。この高速ＮＷを防災情報システムに用いる場合には、地震などの際にＮＷ系統の断が懸念され、バックアップ回線として固定系の無線システム（マイクロ網）が整備されてきた。また、そのバックアップ回線として移動無線の通話用チャネルを用いることも考えられる。しかし、これら固定系の無線システムや移動無線の通話用チャネルは、光ＮＷに比して通信速度は極めて低いから、そのままでは有線の高速ＮＷのバックアップとしては非力である。
【０００５】
本発明は、以上の点に鑑みてなされたものであり、防災情報システムの通信回線（ＮＷ）の状況に応じて交換する情報をユーザーが特別の操作をすることなく通信速度に適した形式に変更することで、有線の高速ＮＷが途絶したときにも防災情報の交換を継続することができる、防災情報システム、及びそのための防災情報装置を提供することを目的とする。
【課題を解決するための手段】
【０００６】
請求項１に記載の防災情報システムは、情報サーバと、情報端末と、高速ＮＷ及び低速ＮＷを介して前記情報サーバと接続し且つ前記情報端末と接続して、前記情報サーバと前記情報端末との間で防災情報を交換するための防災情報装置とを有し、
前記防災情報装置は、
前記高速ＮＷを介して前記情報サーバへ問い合わせ信号を送信し、該送信への応答の有無によって前記高速ＮＷが使用可能か不可かを判定するとともに、前記高速ＮＷが使用可能な時は前記情報サーバと前記情報端末との間での災害情報の交換を前記高速ＮＷを介して中継する、高速ＮＷ死活判定部と、
簡易災害様式及び簡易報告様式を記憶する、代替画面作成用記憶部と、
前記高速ＮＷ使用不可の時に、前記簡易災害様式と前記サーバから前記低速ＮＷを介して送信された簡易災害情報用データとに基づいて簡易災害情報を作成して前記情報端末へ送信するとともに、前記簡易報告様式を前記情報端末へ送信し、前記情報端末から送られた報告データが記入された記入済簡易報告様式から前記報告データを抽出して、該報告データのみを前記低速ＮＷを介して前記情報サーバへ送信する、代替画面作成処理部と、を有することを特徴とする。
【０００７】
請求項２に記載の防災情報装置は、高速ＮＷ及び低速ＮＷを介して情報サーバと接続し且つ情報端末と接続して、前記情報サーバと前記情報端末との間で防災情報を交換するための防災情報装置であって、
前記高速ＮＷを介して前記情報サーバへ問い合わせ信号を送信し、該送信への応答の有無によって前記高速ＮＷが使用可能か不可かを判定するとともに、前記高速ＮＷが使用可能な時は前記情報サーバと前記情報端末との間での災害情報の交換を前記高速ＮＷを介して中継する、高速ＮＷ死活判定部と、
簡易災害様式及び簡易報告様式を記憶する、代替画面作成用記憶部と、
前記高速ＮＷ使用不可の時に、前記簡易災害様式と前記サーバから前記低速ＮＷを介して送信された簡易災害情報用データとに基づいて簡易災害情報を作成して前記情報端末へ送信するとともに、前記簡易報告様式を前記情報端末へ送信し、前記情報端末から送られた報告データが記入された記入済簡易報告様式から前記報告データを抽出して、該報告データのみを前記低速ＮＷを介して前記情報サーバへ送信する、代替画面作成処理部と、を有することを特徴とする。
【発明の効果】
【０００８】
本発明の防災情報システム及び防災情報装置によれば、高速ＮＷが使用できるときは、情報サーバと情報端末間の通信をひたすら中継させて詳細な情報を高速に伝送させ、一方、高速ＮＷが途絶しているとき（使用できないとき）は、中継するのではなく、必要最小限の情報交換ができる代替の画面に差し替えて情報端末で閲覧や記入をさせ、情報サーバと防災情報装置との通信では低速ＮＷに代替画面中の情報データのみを伝送させるから、操作性（レスポンス）が改善される。
【０００９】
また、高速ＮＷの障害時に、情報量の少ない画面に自動的に誘導するので、利用者に手間を取らせない。
【００１０】
更に、本発明では、情報端末にＮＷの切り替えに対応した専用のソフトは不要である。また、極端に速度の異なるＩＰネットワークの二重化に対応することができる。
【発明を実施するための最良の形態】
【００１１】
以下、図面を参照して、本発明の防災情報システム及び防災情報装置の実施例について説明する。
【００１２】
図１に示されるように、県庁などのセンターに配置された情報サーバ１０と複数の市役所や町役場に配置された情報端末２０との間での防災情報の交換を高速ＮＷ３０或いは低速ＮＷ４０を介して行うように、防災情報装置１００によって中継或いは加工する。
【００１３】
高速ＮＷ３０は公衆回線の光ＮＷなどの大容量・高速の回線であり、低速ＮＷ４０は固定系の無線システム（マイクロ網）等の小容量・低速の回線である。
【００１４】
高速ＮＷ３０が使用可能である通常時には、図１に示すように、情報サーバ１０と情報端末２０との間での防災情報の交換を高速ＮＷ３０を介して、防災情報装置１００がそのまま中継する。情報端末２０で情報サーバ１０に集積されている災害情報を取得する場合には、地図など図面も使用し分かり易い形式で詳細災害情報が伝送される。
【００１５】
また、情報端末２０で情報サーバ１０へその地区などの災害状況を報告する場合には、情報サーバ１０から送られる図面などを使用して対話式で災害状況が簡単に入力できる詳細報告様式を情報端末２０へ伝送し、その詳細報告様式に災害状況が入力された記入済詳細報告様式が情報端末２０から情報サーバ１０へ伝送される。
【００１６】
これら詳細災害情報、詳細報告様式、記入済詳細報告様式は地図データ（ビップマップ形式）等も含むからデータ量が多いが高速ＮＷ３０を介して伝送されるのでレスポンス遅れなどの問題もない。この場合、防災情報装置１００は、ひたすら中継機能を果たすことになる。
【００１７】
高速ＮＷ３０が使用不可である異常時には、図２に示すように、情報サーバ１０と情報端末２０との間での防災情報の交換を低速ＮＷ４０を介して、且つ防災情報装置１００で防災情報に特定の情報処理の加工を行った上で伝送する。
【００１８】
情報端末２０で情報サーバ１０に集積されている災害情報を取得する場合には、防災情報装置１００へは情報サーバ１０から簡易災害情報用データ（例、テキストデータ）のみが低速ＮＷ４０を介して伝送され、防災情報装置１００で作成した或いは記憶している簡易災害様式に伝送されてきた簡易災害情報用データを組み込む加工処理を行って、簡易災害情報を作成し、情報端末２０へ送信する。情報端末２０では、簡易とは言え、所定の様式に災害情報用データが組み込まれた見やすい形式で災害情報を閲覧できる。なお、この明細書で「簡易」とは、高速ＮＷを通して伝送される「詳細」に比してその内容が簡単なものであればよく、そのように内容が異なっていればよい。従って、本明細書において、「詳細」を「第１」とし、「簡易」を「第２」と言い換えても良い。
【００１９】
また、情報端末２０から災害状況を報告する場合には、やはりサーバ１０に要求することなく、防災情報装置１００で作成した或いは記憶している簡易報告様式を情報端末２０へ送信する。情報端末２０では簡易報告様式に災害状況を記入し、記入済簡易報告様式を防災情報装置１００へ送信する。防災情報装置１００では、記入済簡易報告様式から情報端末２０で記入された事項（記入データ）のみを抽出して、低速ＮＷ４０を介して情報サーバ１０へ伝送する。
【００２０】
これら簡易災害様式、簡易報告様式、或いはそれらを作成するためのデータは、防災情報装置１００に記憶されている。これらの様式等は設置時に取得され、また、それらの様式（フォーム）が変更される場合には情報サーバ１０等から高速ＮＷ３０や低速ＮＷ４０を介して、様式が変更後のものに更新される。従って、高速ＮＷ異常時には、情報サーバ１０と防災情報装置１００との間での低速ＮＷ４０での伝送は、簡易災害情報用データ（テキストデータ）や情報端末２０で記入された事項（記入データ；テキストデータ）のみが伝送されるから、低速ＮＷ４０にも係わらずレスポンス遅れの影響が無く或いは少なく、また、情報端末２０での報告データの記入や災害情報の閲覧は所定の様式で行われるから低速ＮＷ４０使用による悪影響を少なくできる。
【００２１】
図３は、本発明の防災情報装置１００の内部構成を示す図であり、図４〜図６のフロー図も用いて順次説明する。
【００２２】
図３において、プロキシ処理部１１１は高速ＮＷ３０を使用する場合にそれとの接続及び通信機能を行うもので、インターフェース１１３を通して高速ＮＷにつながる。端末通信処理部１１２は、情報端末２０とインターフェース１１４をとうしてつながり、所要の通信処理などを行う。
【００２３】
高速ＮＷ死活判定部１２０は、高速ＮＷ３０が使用可能か不可かを定期的に監視する他、高速ＮＷ使用可能時にプロキシ処理部１１１、端末通信処理部１１２、高速ＮＷ３０を介して情報伝送を行う。また、高速ＮＷ使用不可時に代替画面作成処理部１４０，端末通信処理部１１２、低速ＮＷ４０を介して情報伝送を行う。なお、これらの情報伝送は、高速ＮＷ死活判定部１２０を介する必要はなく、これをパスするルートを形成してもよい。
【００２４】
記憶装置１３０は、代替画面作成用記憶部であり、簡易災害様式や簡易報告様式、或いはそれらを作成するためのデータが記憶されており、これらの記憶された様式等は設置時に取得され、また、それらの様式（フォーム）が変更される場合には情報サーバ１０等から高速ＮＷ３０や低速ＮＷ４０を介して、様式が変更後のものに更新される。
【００２５】
代替図面作成処理部１４０は、高速ＮＷ３０の使用不可時に、簡易災害様式に、低速ＮＷ４０を介して送られてきた簡易災害情報用データを組み込む加工処理を行って、簡易災害情報を作成し、また、簡易報告様式を情報端末２０へ送信し、情報端末２０から送られてきた記入済簡易報告様式から情報端末２０で記入された事項（記入データ）のみを抽出する。
【００２６】
低速通信用データ処理部１５１及び通信制御部１５２は、インターフェース１５３、低速ＮＷ４０を介して情報サーバ１０との通信を行うための処理、制御を行う。
【００２７】
高速ＮＷ死活判定部１２０で行う死活判定処理が図４に示されている。図４で、点検動作（監視）が開始されると、高速ＮＷ死活判定部１２０から高速ＮＷ３０を介して情報サーバ１０に問い合わせ送信が定期的に或いは必要時に行われる（Ｓ１０１）。この問い合わせは、例えばネットワークの疎通を確認するｐｉｎｇ送信機能のようなものでよい。
【００２８】
問い合わせ送信に対して、規定時間内に応答があるか否かを判定し（Ｓ１０２）、応答があれば高速ＮＷ３０が使用可能であると判定して高速ＮＷ使用可能フラグを「１」とし（Ｓ１０３）、応答がなければ高速ＮＷ３０が使用不可であると判定して高速ＮＷ使用可能フラグを「０」とする（Ｓ１０４）。これにより、常時、高速ＮＷ３０の状況が監視される。
【００２９】
次に、災害情報の取得方法を、図５も用いて説明する。情報端末２０から災害情報の要求が出されると、高速ＮＷ３０が使用可能（フラグ＝１）であるかどうかが判定される（Ｓ２０１）。使用可能であると、高速ＮＷ３０を介して情報サーバ１０に対して詳細災害情報を要求し（Ｓ２０２）、高速ＮＷ３０を介して情報サーバ１０から受信した詳細災害情報を要求した情報端末２０へ送信し（Ｓ２０３）、詳細災害情報の取得を終了する（Ｓ２０４）。
【００３０】
高速ＮＷ３０が使用不可であると、低速通信用データ処理部１５１、通信制御部１５２等を用いて低速ＮＷ４０の接続処理を行い（Ｓ２１１）、低速ＮＷ４０を介して情報サーバに対して簡易災害用情報データを要求する（Ｓ２１２）。そして、簡易災害用情報データを低速ＮＷ４０を介して得る（Ｓ２１３）と、低速ＮＷ４０の接続を切断する（Ｓ２１４）。
【００３１】
代替画面作成処理部１４０では、記憶装置１３０から取り出した簡易災害様式（もしくは簡易災害様式作成用データから作成した簡易災害様式）に、伝送されてきた簡易災害情報用データを組み込む加工処理を行って簡易災害情報を作成し（Ｓ２１５）、情報端末２０へ送信し（Ｓ２１６）、簡易災害情報の取得を終了する（Ｓ２１７）。
【００３２】
次に、災害情報の報告方法を、図６を用いて説明する。情報端末２０から災害情報の報告要求が出されると、高速ＮＷ３０が使用可能（フラグ＝１）であるかどうかが判定される（Ｓ３０１）。使用可能であると、高速ＮＷ３０を介して情報サーバ１０に対して詳細報告様式を要求し（Ｓ３０２）、高速ＮＷ３０を介して情報サーバ１０から受信した詳細報告様式を要求した情報端末２０へそのまま送信する（Ｓ３０３）。情報端末２０で所定事項が記入された記入済詳細報告様式を受信し（Ｓ３０４）、受信した記入済詳細報告様式をそのまま高速ＮＷ３０を介して情報サーバ（１０）へ送信し（Ｓ３０５）、災害情報の詳細報告を終了する（Ｓ３０６）。
【００３３】
高速ＮＷ３０が使用不可であると、代替画面作成処理部１４０は記憶装置１３０から取り出した簡易報告様式（もしくは簡易報告様式作成用データから作成した簡易報告様式）を情報端末２０へ送信する（Ｓ３１１）。情報端末２０で必要な最小限の事項が記入された記入済簡易報告様式を受信し（Ｓ３１２）、記入済簡易報告様式から情報端末２０で記入された事項（記入データ）のみを抽出する（Ｓ３１３）。そして、低速通信用データ処理部１５１、通信制御部１５２等を用いて低速ＮＷ４０の接続処理を行い（Ｓ３１４）、その記入データのみを低速ＮＷ４０を介して情報サーバ１０へ送信し（Ｓ３１５）、災害情報の簡易報告を終了する（Ｓ３１６）。
【図面の簡単な説明】
【００３４】
【図１】本発明の防災情報システムの高速ＮＷ使用時（通常時）の状況を示す図
【図２】本発明の防災情報システムの低速ＮＷ使用時（異常時）の状況を示す図
【図３】本発明の防災情報装置１００の構成図
【図４】高速ＮＷの死活判定処理のフロー図
【図５】災害情報の取得処理のフロー図
【図６】災害情報の報告処理のフロー図
【符号の説明】
【００３５】
１０：情報サーバ、２０：情報端末、３０：高速ネットワーク（高速ＮＷ）
４０：低速ネットワーク（低速ＮＷ）、１００：防災情報装置、１１１：プロシキ処理部
１１２：端末通信処理部、１２０：高速ＮＷ死活判定部、１３０：記憶装置
１４０：代替画面作成処理部、１５１：低速通信データ用処理部、１５２：通信制御部
１１３，１１４，１５３：インターフェース
【図１】
2010124296.tif 000003
【図２】
2010124296.tif 000004
【図３】
2010124296.tif 000005
【図４】
2010124296.tif 000006
【図５】
2010124296.tif 000007
【図６】
2010124296.tif 000008